【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
無線通信機器と近接無線通信する通信インターフェースと、
前記通信インターフェースを介して、前記無線通信機器から近接無線通信されるデータを記憶する記録媒体と、
前記記録媒体に対する書込み許可および書込み禁止に係る書込み識別情報を記憶する記憶部と、
前記無線通信機器との間でトランスポート層レベルの通信プロトコルによる近接無線通信の接続が確立したあとであって、前記無線通信機器との間で使用するセッション層の通信プロトコルとして、前記記録媒体に対する書込みをセクタ単位で行うセッション層の通信プロトコルが選択されていない状態で、前記無線通信機器を特定する機器識別情報を、前記通信インターフェースを介して当該無線通信機器から取得し、
前記無線通信機器との間で使用するセッション層の通信プロトコルとして、前記記録媒体に対する書込みをセクタ単位で行うセッション層の通信プロトコルが選択された場合、前記取得した前記機器識別情報と、前記記憶部が記憶する前記書込み識別情報とに基づいて、前記記録媒体に対する書込み許可または書込み禁止を決定し、
前記決定した結果に基づいて、前記選択されたセッション層の通信プロトコルに対応するアプリケーション層の通信プロトコルを起動する前に、前記記録媒体に対する書込みの許可および書込の禁止を制御し、当該制御している状態で、前記近接無線通信を使用した前記アプリケーション層の通信プロトコルによるデータ通信を、前記無線通信機器との間で行うよう制御する制御部と、
を備えることを特徴とする無線通信装置。
【請求項２】
前記制御部は、前記近接無線通信を使用した前記トランスポート層の通信プロトコルによるデータ通信で前記機器識別情報を取得し、前記アプリケーション層の通信プロトコルで前記記録媒体に対する書込み許可または書込み禁止を決定する
ことを特徴とする請求項１に記載の無線通信装置。
【請求項３】
前記記録媒体に対する書込みおよび読出しをセクタ単位で行うセッション層の通信プロトコルはＳＣＳＩプロトコルである
ことを特徴とする請求項１に記載の無線通信装置。
【請求項４】
前記制御部は、前記決定した結果を、前記無線通信機器から書込みがあったときに、前記近接無線通信を使用した前記アプリケーション層の通信プロトコルによるデータ通信で、前記無線通信機器に通知する
ことを特徴とする請求項１に記載の無線通信装置。
【請求項５】
通信インターフェースと記録媒体と記憶部とを有する無線通信装置の無線通信方法であって、
無線通信機器との間でトランスポート層レベルの通信プロトコルによる近接無線通信の接続が確立したあとであって、前記無線通信機器との間で使用するセッション層の通信プロトコルとして、前記記録媒体に対する書込みをセクタ単位で行うセッション層の通信プロトコルが選択されていない状態で、前記無線通信機器を特定する機器識別情報を、前記通信インターフェースを介して当該無線通信機器から取得するステップと、
前記無線通信機器との間で使用するセッション層の通信プロトコルとして、前記記録媒体に対する書込みをセクタ単位で行うセッション層の通信プロトコルが選択された場合、前記取得した前記機器識別情報と、前記記録媒体に対する書込み許可および書込み禁止に係る情報として予め前記記憶部に記憶している書込み識別情報と、に基づいて、前記記録媒体に対する書込み許可または書込み禁止を決定するステップと、
前記決定した結果に基づいて、前記選択されたセッション層の通信プロトコルに対応するアプリケーション層の通信プロトコルを起動する前に、前記記録媒体に対する書込みの許可および書込の禁止を制御するステップと、
前記記録媒体に対する書込みの許可および書込の禁止を制御している状態で、前記近接無線通信を使用した前記アプリケーション層の通信プロトコルによるデータ通信を、前記無線通信機器との間で行うステップと、
を含む無線通信方法。
【請求項６】
通信インターフェースと記録媒体と記憶部とを有する無線通信装置の無線通信プログラムであって、
無線通信機器との間でトランスポート層レベルの通信プロトコルによる近接無線通信の接続が確立したあとであって、前記無線通信機器との間で使用するセッション層の通信プロトコルとして、前記記録媒体に対する書込みをセクタ単位で行うセッション層の通信プロトコルが選択されていない状態で、前記無線通信機器を特定する機器識別情報を、前記通信インターフェースを介して当該無線通信機器から取得するステップと、
前記無線通信機器との間で使用するセッション層の通信プロトコルとして、前記記録媒体に対する書込みをセクタ単位で行うセッション層の通信プロトコルが選択された場合、前記取得した前記機器識別情報と、前記記録媒体に対する書込み許可および書込み禁止に係る情報として予め前記記憶部に記憶している書込み識別情報と、に基づいて、前記記録媒体に対する書込み許可または書込み禁止を決定するステップと、
前記決定した結果に基づいて、前記選択されたセッション層の通信プロトコルに対応するアプリケーション層の通信プロトコルを起動する前に、前記記録媒体に対する書込みの許可および書込の禁止を制御するステップと、
前記記録媒体に対する書込みの許可および書込の禁止を制御している状態で、前記近接無線通信を使用した前記アプリケーション層の通信プロトコルによるデータ通信を、前記無線通信機器との間で行うステップと、
を含む無線通信プログラム。
【手続補正２】
【補正対象書類名】明細書
【補正対象項目名】発明の名称
【補正方法】変更
【補正の内容】
【発明の名称】無線通信装置、無線通信方法および無線通信プログラム
【手続補正３】
【補正対象書類名】明細書
【補正対象項目名】０００１
【補正方法】変更
【補正の内容】
【０００１】
本発明は、無線通信装置、無線通信方法および無線通信プログラムに関する。
【手続補正４】
【補正対象書類名】明細書
【補正対象項目名】０００６
【補正方法】変更
【補正の内容】
【０００６】
本発明は、上記事情に鑑みてなされたものであり、記録媒体へのデータの書込み中に無線通信が切断される可能性がある場合においても、ユーザが操作することなく、データの消失リスクを低減させることができる無線通信装置、無線通信方法および無線通信プログラムを提供することを目的とする。
【手続補正５】
【補正対象書類名】明細書
【補正対象項目名】０００７
【補正方法】変更
【補正の内容】
【０００７】
本発明は、無線通信機器と近接無線通信する通信インターフェースと、前記通信インターフェースを介して、前記無線通信機器から近接無線通信されるデータを記憶する記録媒体と、前記記録媒体に対する書込み許可および書込み禁止に係る書込み識別情報を記憶する記憶部と、前記無線通信機器との間でトランスポート層レベルの通信プロトコルによる近接無線通信の接続が確立したあとであって、前記無線通信機器との間で使用するセッション層の通信プロトコルとして、前記記録媒体に対する書込みをセクタ単位で行うセッション層の通信プロトコルが選択されていない状態で、前記無線通信機器を特定する機器識別情報を、前記通信インターフェースを介して当該無線通信機器から取得し、前記無線通信機器との間で使用するセッション層の通信プロトコルとして、前記記録媒体に対する書込みをセクタ単位で行うセッション層の通信プロトコルが選択された場合、前記取得した前記機器識別情報と、前記記憶部が記憶する前記書込み識別情報とに基づいて、前記記録媒体に対する書込み許可または書込み禁止を決定し、前記決定した結果に基づいて、前記選択されたセッション層の通信プロトコルに対応するアプリケーション層の通信プロトコルを起動する前に、前記記録媒体に対する書込みの許可および書込の禁止を制御し、当該制御している状態で、前記近接無線通信を使用した前記アプリケーション層の通信プロトコルによるデータ通信を、前記無線通信機器との間で行うよう制御する制御部と、を備えることを特徴とする無線通信装置である。
【手続補正６】
【補正対象書類名】明細書
【補正対象項目名】０００８
【補正方法】変更
【補正の内容】
【０００８】
また、本発明の無線通信装置において、前記制御部は、前記近接無線通信を使用した前記トランスポート層の通信プロトコルによるデータ通信で前記機器識別情報を取得し、前記アプリケーション層の通信プロトコルで前記記録媒体に対する書込み許可または書込み禁止を決定することを特徴とする。
【手続補正７】
【補正対象書類名】明細書
【補正対象項目名】０００９
【補正方法】変更
【補正の内容】
【０００９】
また、本発明の無線通信装置において、前記記録媒体に対する書込みおよび読出しをセクタ単位で行うセッション層の通信プロトコルはＳＣＳＩプロトコルであることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
また、本発明の無線通信装置において、前記制御部は、前記決定した結果を、前記無線通信機器から書込みがあったときに、前記近接無線通信を使用した前記アプリケーション層の通信プロトコルによるデータ通信で、前記無線通信機器に通知することを特徴とする。
【手続補正１１】
【補正対象書類名】明細書
【補正対象項目名】００１３
【補正方法】変更
【補正の内容】
【００１３】
また、本発明は、通信インターフェースと記録媒体と記憶部とを有する無線通信装置の無線通信方法であって、無線通信機器との間でトランスポート層レベルの通信プロトコルによる近接無線通信の接続が確立したあとであって、前記無線通信機器との間で使用するセッション層の通信プロトコルとして、前記記録媒体に対する書込みをセクタ単位で行うセッション層の通信プロトコルが選択されていない状態で、前記無線通信機器を特定する機器識別情報を、前記通信インターフェースを介して当該無線通信機器から取得するステップと、前記無線通信機器との間で使用するセッション層の通信プロトコルとして、前記記録媒体に対する書込みをセクタ単位で行うセッション層の通信プロトコルが選択された場合、前記取得した前記機器識別情報と、前記記録媒体に対する書込み許可および書込み禁止に係る情報として予め前記記憶部に記憶している書込み識別情報と、に基づいて、前記記録媒体に対する書込み許可または書込み禁止を決定するステップと、前記決定した結果に基づいて、前記選択されたセッション層の通信プロトコルに対応するアプリケーション層の通信プロトコルを起動する前に、前記記録媒体に対する書込みの許可および書込の禁止を制御するステップと、前記記録媒体に対する書込みの許可および書込の禁止を制御している状態で、前記近接無線通信を使用した前記アプリケーション層の通信プロトコルによるデータ通信を、前記無線通信機器との間で行うステップと、を含む無線通信方法である。
また、本発明は、通信インターフェースと記録媒体と記憶部とを有する無線通信装置の無線通信プログラムであって、無線通信機器との間でトランスポート層レベルの通信プロトコルによる近接無線通信の接続が確立したあとであって、前記無線通信機器との間で使用するセッション層の通信プロトコルとして、前記記録媒体に対する書込みをセクタ単位で行うセッション層の通信プロトコルが選択されていない状態で、前記無線通信機器を特定する機器識別情報を、前記通信インターフェースを介して当該無線通信機器から取得するステップと、前記無線通信機器との間で使用するセッション層の通信プロトコルとして、前記記録媒体に対する書込みをセクタ単位で行うセッション層の通信プロトコルが選択された場合、前記取得した前記機器識別情報と、前記記録媒体に対する書込み許可および書込み禁止に係る情報として予め前記記憶部に記憶している書込み識別情報と、に基づいて、前記記録媒体に対する書込み許可または書込み禁止を決定するステップと、前記決定した結果に基づいて、前記選択されたセッション層の通信プロトコルに対応するアプリケーション層の通信プロトコルを起動する前に、前記記録媒体に対する書込みの許可および書込の禁止を制御するステップと、前記記録媒体に対する書込みの許可および書込の禁止を制御している状態で、前記近接無線通信を使用した前記アプリケーション層の通信プロトコルによるデータ通信を、前記無線通信機器との間で行うステップと、を含む無線通信プログラムである。
【手続補正１２】
【補正対象書類名】明細書
【補正対象項目名】００１４
【補正方法】変更
【補正の内容】
【００１４】
本発明によれば、通信インターフェースは、無線通信機器と近接無線通信する。また、記録媒体は、通信インターフェースを介して、無線通信機器から近接無線通信されるデータを記憶する。また、記憶部は、記録媒体に対する書込み許可および書込み禁止に係る書込み識別情報を記憶する。また、制御部は、無線通信機器との間でトランスポート層レベルの通信プロトコルによる近接無線通信の接続が確立したあとであって、無線通信機器との間で使用するセッション層の通信プロトコルとして、記録媒体に対する書込みをセクタ単位で行うセッション層の通信プロトコルが選択されていない状態で、無線通信機器を特定する機器識別情報を、通信インターフェースを介して当該無線通信機器から取得し、無線通信機器との間で使用するセッション層の通信プロトコルとして、記録媒体に対する書込みをセクタ単位で行うセッション層の通信プロトコルが選択された場合、取得した機器識別情報と、記憶部が記憶する書込み識別情報とに基づいて、記録媒体に対する書込み許可または書込み禁止を決定し、決定した結果に基づいて、選択されたセッション層の通信プロトコルに対応するアプリケーション層の通信プロトコルを起動する前に、記録媒体に対する書込みの許可および書込の禁止を制御し、当該制御している状態で、近接無線通信を使用したアプリケーション層の通信プロトコルによるデータ通信を、無線通信機器との間で行うよう制御する。
【手続補正１３】
【補正対象書類名】明細書
【補正対象項目名】００１５
【補正方法】変更
【補正の内容】
【００１５】
この構成により、制御部は、記録媒体に対する書込み許可および書込み禁止に係る書込み識別情報と、任意の無線通信機器を一意に特定する機器識別情報とに基づいて、記録媒体に対する書込み許可または書込み禁止を決定し、決定した結果に基づいて、記録媒体に対する書込みの許可および書込みの禁止を制御する。